(57)【特許請求の範囲】
【請求項１】
左右のサイドサポートを有する棚本体と、前記棚本体の奥行き寸法よりも小さい前後幅寸法の棚板と、前記左右サイドサポートの内側面部に着脱自在なブラケットとを具備しており、前記棚板がブラケットで前後ずれ不能に支持される構成であって、
前記ブラケットは、その一端を手前にして一方のサイドサポートに取付けることと、その一端を後ろにして他方のサイドサポートに取り付けることが選択自在であり、前記ブラケットを左右のサイドサポートに付け替えることで棚板の前後位置が変更される、
棚装置。
【請求項２】
前記棚本体は背板を有しており、前記ブラケットを左右のサイドサポートに付け替えると、前記棚板は、その前端面を前記サイドサポートの前端面に略一致させた前揃え状態と、その後端面を前記背板に密接又は近接させた後揃え状態とに変更される、
請求項１に記載した棚装置。
【請求項３】
前記サイドサポートの前後２箇所の部位に、係合穴の群が上下適宜ピッチで多数形成されている一方、前記ブラケットには、前記係合穴に落下不能に嵌合する前後２つの係止爪が形成されており、前記２つの係止爪を、前記ブラケットの前後中間点を挟んで前後非対称に配置することにより、前記ブラケットを左右のサイドサポートに付け替えると棚板の前後位置が変更される、
請求項１又は２に記載した棚装置。
【請求項４】
左右のサイドサポートを有する棚本体と、前記棚本体の奥行き寸法よりも小さい前後幅寸法の棚板と、前記左右サイドサポートの内側面部に着脱自在なブラケットとを具備しており、前記棚板がブラケットで前後ずれ不能に支持される、という構成の棚装置に使用される前記ブラケットであって、
前記サイドサポートの内側面に重なる本体部を有しており、前記本体部の下端に、前記棚板を前後ずれ不能に支持する支持片が形成されて、前記本体部の上部には、前記サイドサポートの係合穴に係合する前後一対の係合爪が形成されており、
前記本体部の一端を手前にして前記係合爪をサイドサポートの係合穴に嵌め込むことと、前記本体部の他端を手前にして前記係合爪をサイドサポートの係合穴に嵌め込むこととが選択自在であり、前記２つの係合爪を、前記本体部の前後中間点を挟んで前後非対称に配置することにより、左右のサイドサポートに付け替えると棚板の前後位置が変更されるようになっている、
棚板支持用ブラケット。
【発明の詳細な説明】
【技術分野】
【０００１】
本願発明は、棚装置及びこれに使用する棚板支持用ブラケットに関するものである。
【背景技術】
【０００２】
棚装置は棚本体の内部に棚板を多段に配置した構造になっており、棚本体は棚板を支持する左右のサイドサポートを有している。サイドサポートは、側板の形態になっていたり前後に分離したフレーム（側枠）の形態になっていたりしている。また、棚本体には背板がある場合と無い場合とがある。
【０００３】
棚装置は各種の大きさがあり、例えば書籍類を格納する書架の場合は、奥行きをＡ４サイズに合わせたものとＢ５サイズ（或いはそれ以下）に合わせたものとが多用されているが、奥行きが相違した書架を左右に並設すると体裁が悪い。他方、Ａ４サイズ用の書架の群とＢ５サイズ用の書架の群とを別々に設置すると体裁の問題はクリアーできるが、Ａ４サイズの書籍とＢ５サイズの書籍との割合が予想と相違すると、一方の書架は満杯で他方の書架は空いているという状態になり、全体としてスペースの使用効率が悪くなる。
【０００４】
従って、棚本体の大きさはＡ４サイズに統一しておいて、必要に応じてＢ５サイズの棚板を使用できると、融通性に優れていて好適である。このようにＡ４サイズの棚本体にＢ５用の棚板を装架する場合、棚板は、前端面を棚本体の前面に略一致させた前揃え状態と、後端面を背板に近接又は当接した後揃え状態とに簡単に変更できると、必要に応じて書籍類を体裁よく格納できて好適である。
【０００５】
棚板を前揃え状態と後揃え状態とに変更するのは棚板の前後位置を変えることに他ならないが、これに関連した技術として例えば特許文献１には、左右側板に差し込んだ前後一対ずつの支持ピンで棚板を支持する方式の棚装置において、支持ピンが嵌まる穴を前後２対ずつ形成することにより、棚板の前後位置を変更可能にすることが開示されている。
【０００６】
他方、特許文献２，３には、左右側板に取付けた前後一対ずつのブラケットで棚板を支持する方式の棚装置において、棚板の下面に多数の凹溝を前後間隔で多数形成する一方、ブラケットは棚板の凹溝に嵌まる凸方式として、棚板の前後位置を凹溝の形成ピッチで変更可能とすることが開示されている。
【先行技術文献】
【特許文献】
【０００７】
【特許文献１】実開平５−４６３２６号のＣＤ−ＲＯＭ
【特許文献２】実開平７−１１９３６号のＣＤ−ＲＯＭ
【特許文献３】特開平７−２３６５２７号公報
【発明の概要】
【発明が解決しようとする課題】
【０００８】
さて、ユーザーがＡ４サイズ対応の書架とＢ５サイズ対応の書架とを既に使用している場合、ユーザーがＢ５サイズ用の棚板をストックしていることがあり、この場合は、Ａ４サイズ用の書架をＢ５サイズ対応に使用するに際しては、当然ながら既存のＢ５サイズ用棚板をそのまま使用したいと欲する。従って、棚本体をＡ４サイズとＢ５サイズとに共用する場合、既存の設備にも対応できないとユーザーフレンドリーとは言えない。また、既存の部品をそのまま使用できると加工コストの上昇を抑制できるため、メーカーにとっても有益である。
【０００９】
しかるに、各特許文献は棚板の前後位置を変更できるというものの、側板や棚板を新たに加工せねばならないため既存の設備には全く適用できず、融通性が非常に悪いという問題がある。本願発明は、このような現状を改善することを課題とするものである。
【課題を解決するための手段】
【００１０】
棚装置は棚本体と棚板とブラケットとで構成されているが、ブラケットは最も小さい部品であり、コストも本体及び棚板に比べて安価である。本願発明者たちはこの点に着目し、ブラケットを改良すべく工夫を凝らして本願発明を完成させるに至った。
【００１１】
本願発明に係る棚装置は、左右のサイドサポートを有する棚本体と、前記棚本体の奥行き寸法よりも小さい前後幅寸法の棚板と、前記左右サイドサポートの内側面部に着脱自在なブラケットとを具備しており、前記棚板がブラケットで前後ずれ不能に支持されるという基本構成になっている。
【００１２】
そして、請求項１の発明では、上記の基本構成において、前記ブラケットは、その一端を手前にして一方のサイドサポートに取付けることと、その一端を後ろにして他方のサイドサポートに取り付けることが選択自在であり、前記ブラケットを左右のサイドサポートに付け替えると棚板の前後位置が変更される。
【００１３】
請求項２の発明は請求項１を具体化したものであり、この発明では、前記棚本体は背板を有しており、前記ブラケットを左右のサイドサポートに付け替えることにより、前記棚板は、その前端面を前記サイドサポートの前端面に略一致させた前揃え状態と、その後端面を前記背板に密接又は近接させた後揃え状態とに変更自在になっている。
【００１４】
請求項３の発明は請求項１又は２を展開したもので、この発明では、前記サイドサポートの前後２箇所の部位に、係合穴の群が上下適宜ピッチで多数形成されている一方、前記ブラケットには、前記係合穴に嵌合してブラケットを落下不能に保持する前後２つの係止爪が形成されており、前記２つの係止爪を、前記ブラケットの前後中間点を挟んで前後非対称に配置することにより、前記ブラケットを左右のサイドサポートに付け替えると棚板の前後位置が変更される。
【００１５】
本願発明は棚板支持用ブラケットも含んでいる。すなわちこのブラケットは、左右のサイドサポートを有する棚本体と、前記棚本体の奥行き寸法よりも小さい前後幅寸法の棚板と、前記左右サイドサポートの内側面部に着脱自在なブラケットとを具備しており、前記棚板がブラケットで前後ずれ不能に支持される、という構成の棚装置に使用される。
【００１６】
そして、このブラケットは、前記サイドサポートの内側面に重なる本体部を有しており、前記本体部の下端に、前記棚板を前後ずれ不能に支持する支持片が形成されて、前記本体部の上部には、前記サイドサポートの係合穴に係合する前後一対の係合爪が形成されており、前記本体部の一端を手前にして前記係合爪をサイドサポートの係合穴に嵌め込むことと、前記本体部の他端を手前にして前記係合爪をサイドサポートの係合穴に嵌め込むこととが選択自在であり、前記２つの係合爪を、前記本体部の前後中間点を挟んで前後非対称に配置することにより、左右のサイドサポートに付け替えると棚板の前後位置が変更されるようになっている。
【発明の効果】
【００１７】
本願発明によると、例えばＡ４サイズ用の棚板にＢ５サイズ用の棚板を装架するにおいて、Ｂ５サイズ用の棚板を前揃え状態に配置したり後揃え状態に配置したりするというように、棚板の前後位置を簡単に変更できる。そして、本願発明はブラケットを左右のサイドサポートに付け替えることで棚板の前後位置を変更するものであるため、ブラケットを既存のサイドサポート及び棚板に適合した構造とすることにより、既存の棚装置にもそのまま適用できる。このため融通性が高くて適用範囲が広い。また、ユーザーが予備としてストックしている棚板も使用可能になるため、ユーザーの負担軽減にも貢献できる。
【００１８】
本願発明は棚本体を前後に開口させたオープンタイプにも適用できるが、請求項２のように背板付きタイプに適用すると、物品（例えば書籍）が後ろにずり落ちることはないため好適である。また、棚装置をどのように使用するかはユーザーに委ねられているが、請求項２において棚板を前揃え状態に配置すると、例えばＢ５サイズ用の棚板であってもＡ４サイズの書籍類を載置することができるため、Ａ４サイズとＢ５サイズとの書籍を混載する場合に好適である。
【００１９】
また、棚板を前揃え状態に配置すると棚板の後ろには空間が空くため、ホコリ類やゴミ類は棚板の後ろの空間から下方に落下する。従って、棚板の後部にホコリが溜まることを防止できると共に、掃除をするに当たっては各棚ごとに掃除をする必要がなくなり、それだけ掃除の手間を省くことができる。
【００２０】
ブラケットを左右に付け替えることで棚板の前後位置を変更する手段は、サイドサポートに形成されている係合部の位置と関連している。すなわち、係合溝のような係合部は一般にサイドサポートに前後一対形成されているが、前後の係合部がサイドサポートの前後中間点を挟んで非対称の位置に形成されている場合（すなわち、前後係合部が手前側にずれたり後ろ側にずれて配置されたりしている場合）は、ブラケットを左右のサイドサポートに付け替えるとブラケットも手前にずれたり後ろにずれたりすることになり、これによって棚板の前後位置を変更できる。つまり、係合部の前後ずれを利用して棚板の前後配置位置を変更できる。
【００２１】
他方、前後の係合部がサイドサポートの前後中間点を挟んで前後対称の位置に形成されている場合は、請求項３のようにブラケットの係合爪をブラケットの前後中間点を挟んで非対称の位置に形成することで、棚板の前後位置がブラケットの左右付け替えで実現される。そして、係合穴等の係合部はサイドサポートの前後対称位置に形成されていることが多いので、請求項３の発明は一般性が高くて適用範囲が広いと言える。
【図面の簡単な説明】
【００２２】
【図１】本願発明を適用した書架の全体斜視図である。
【図２】棚板を裏返した状態での第１実施形態の一部破断斜視図である。
【図３】（Ａ）は棚板を前揃え状態に配置した側断面図、（Ｂ）は（Ａ）のＢ−Ｂ視断面図である。
【図４】（Ａ）は棚板を後揃え状態に配置した側断面図、（Ｂ）は前揃え状態での概略説明図、（Ｃ）は後揃え状態での概略説明図である。
【図５】（Ａ）は第２実施形態の側面図、（Ｂ）は（Ａ）のＢ−Ｂ視断面図である。
【図６】他の実施形態を示す図である。
【図７】（Ａ）は図６のVIIA-VIIA視断面図、（Ｂ）は変形例を示す図、（Ｃ）は側板の上部の縦断正面図である。
【発明を実施するための形態】
【００２３】
次に、本願発明の実施形態を図面に基づいて説明する。本実施形態は書架に適用している。本実施形態及び請求項では方向を特定するための「前後」「左右」の文言を使用しているが、書架の奥行き方向に向いて手前を前で奥を後とし、書架の間口方向を左右方向としている。
【００２４】
(1).棚装置の基本構成
図１に示すように、本実施形態の書架は、背板１を挟んだ両側の空間が３枚の側板２で２つに区分された両面使い・２連式になっており、左右の側板２と背板１とで囲われた単位収納空間３に棚板４が多段に配置されている。もとより、片面使用多連式としたり、単体の背中合わせ方式としたり、単体の片面方式としたり、片面方式又は両面方式で３連以上の多連式としたりすることも可能である。また、本実施形態では１枚の側板２を前後の収納空間３で共用しているが、各収納空間ごとに側板２を配置することも可能である。
【００２５】
本実施形態では、側板２と背板１とで棚本体が構成されている。側板２は棚板４を支持するサイドサポートの一例であり、図２に示すように、側板２は芯板５の表裏両面に金属製化粧板（表面板）６を張った構造になっている。化粧板６は芯板５の前端より手前に張り出しており、表裏化粧板６の前端は内側にカールしている。芯板５の前端と化粧板６の前端との間の空間には補強枠７を配置している。側板２の上端に天エッジ８（図１参照）を装着している。
【００２６】
本実施形態の書架を構成する棚本体はＡ４版に対応しており、従って、収納空間３にはＡ４版に対応した棚板（図示せず）を専用のブラケットによって装架ができ、棚板にはＡ４版の書籍類やファイル類を手前にはみ出ない状態に格納できる。他方、本実施形態の棚板４はＢ５版に対応しており、従って、Ｂ５サイズの幅寸法よりやや大きい前後幅寸法に設定されている。
【００２７】
棚板４はスチール製であり、図２に示すように、その四周は前後のフロント壁部９とサイド壁部１０とで構成されていると共に、フロント壁部９の下端には水平状のフロント折り返し部１１を設けて、サイド壁部１０の下端にはサイド折り返し部１２を設けている。両折り返し部１１，１２の先端には上向きの起立片１１ａ，１２ａを設けている（起立片１１ａ，１２ａは設けなくても良いし、フロント折り返し部１１とサイド折り返し部１２とのうちいずれか一方のみに設けてもよい。）。
【００２８】
棚板４の下面のうち前後中間部には補強フレーム１３が固着されている。補強フレーム１３は溝形で、上端には前後の水平部を有している。補強フレーム１３は左右のサイド壁部１０まで延びている。このためサイド折り返し部１２の起立片１２ａは部分的に切欠かれている。棚板４は前後対称及び左右対称の形状になっており、従って、前後方向及び左右方向とも方向性はない。
【００２９】
(2).ブラケット
棚板４は、金属板製（スチール製）のブラケット１５を介して側板２に高さ調節自在に支持されている。ブラケット１５は前後対称形状のものが２種類使用されているが、図では片方だけしか表示していない。例えば図２に示すように、ブラケット１５は、側板２の内面に重なる（或いは近接する）本体部１６と、本体部１６の下端から左右内向きに延びる水平状の支持片１７とを有しており、支持片１７で棚板４のサイド折り返し部１２が支持される。支持片１７には、棚板４のフロント折り返し部１１と補強フレーム１３との間に入り込む前後一対の位置決め片１７ａが形成されている。
【００３０】
図３に明示するように、ブラケット１５の本体部１６は棚板４の厚さ（壁部９，１０の上下幅を含む全体の厚さ）の２倍程度の上下幅寸法になっており、このため本体部１６は棚板４の上方にはみ出る露出部１６ａを有している。そして、露出部１６ａの前後両端の上端に正面視上向き鉤形の係合爪１８を形成している一方、側板２の内面を構成する化粧板６の前後２カ所の部位に、係合爪１８を抜け不能に嵌め込みできる係合穴１９の群が上下適宜ピッチで多数形成されている。
【００３１】
係合爪１８の外面は正面視で半円状になっている。このため、本体部１６を水平姿勢にしてから係合爪１８を係合穴１９に挿入し、次いで本体部１６を側板２に重なる鉛直姿勢に戻すという手順を採ることにより、図３（Ｂ）に示すように、係合爪１８は、係合穴１９の下端で支持されると共に内向き抜け不能に保持される。側板２を構成する芯板５には、係合爪１８の嵌め込みを許容するための縦溝２０が形成されている。
【００３２】
本体部１６における露出部１６ａの前後両側の部位には、係合爪１８の曲げ加工を容易ならしめるための凹所２１が形成されている。図３（Ａ）に明示するように、側板２の前後係合穴１９は、収納空間３の前後中間点を挟んで略前後対称の位置に形成している。換言すると、側板２の前端から手前の係合穴１９までの間隔寸法Ｌ１と、後ろの係合穴１９と背板１までの間隔寸法Ｌ２とはほぼ同じ寸法に設定されている。
【００３３】
他方、ブラケット１５では、一方の係合爪１８は本体部１６（或いはブラケット１５）の一端１６ｂからある程度の寸法Ｌ３だけ他端側にずれた位置に形成され、他方の係合爪１８は本体部１６の他端１６ｃと略同じ位置に形成されている。そして、一方の係合爪１８が本体部１６の一端１６ｂから他端側にずれた寸法Ｌ３は、Ａ４サイズとＢ５サイズとの寸法差と略同じ寸法になっている。
【００３４】
既述のようにブラケット１５は２種類が使用される。他方の種類のブラケット１５は、支持片１７と係合爪１８とが図示したものとが左右反対向きになっている。なお、ブラケット１５の支持片１７に前後一対の長穴２２を形成しているが、これは塗装に際してフックを係止するための吊り穴である。
【００３５】
(3).まとめ
以上の構成において、後部の係合穴１９と背板１との間隔寸法Ｌ２はブラケット１５の一端（本体部１６の一端）１６ｂと一方の係合爪１８との間隔寸法Ｌ３と同じか僅かに大きい寸法になっており、このため、２種類のブラケット１５は、その一端１６ｂを手前にした状態で一方の側板２に取付けできる共に、他端１６ｃを手前にした状態（一端１６ｂを奥にした状態）で他方の側板２に取り付けることができる。
【００３６】
そして、ブラケット１５の前後長さは棚板４の前後幅寸法と略同じになっているため、図３（Ａ）のようにブラケット１５がその一端１６ｂを前にした姿勢で側板２に取付けられると、棚板４は、その前端面を側板２の前面に略一致させると共に背板１との間には空間２３を空けた前揃え状態に配置され、他方、図４（Ａ）のように、ブラケット１５が他端１６ｃを前にした姿勢で側板２に取付けられると、棚板４は、その背面を背板１に近接又は密着させた後揃え状態に配置される。Ｌ４はＬ３と略同じ寸法になる。
【００３７】
棚板４を前揃えにすると、Ａ４版対応の棚板が装架された書架と外観が共通するため見た目が良いと共に、図４（Ｂ）に示すように、Ｂ４サイズの書籍Ｓ１に加えてＡ４サイズの書籍類Ｓ２を載置することも可能になる。また、書架（及び棚装置一般）では棚板４の奥部にホコリやゴミが溜まることが多いが、棚板４と背板１との間が空間２３になっているため、ホコリやゴミが溜まることがなくて清掃の手間を省くことができる。他方、棚板４を後揃え状態に配置すると、Ｂ５版の書籍類Ｓ１は背板１に当たるまで押し込むことで前面を揃えることができるため、書籍類Ｓ１を格納するに当たって作業性がよい。
【００３８】
ブラケット１５における本体部１６の長さ寸法を側板２の奥行き寸法と略同じ寸法に設定して、支持片１７を前後にずれた状態で設けることも可能であるが、この場合は、棚板４を後揃え状態に配置したときに本体部１６が棚板４の手前に露出して体裁が良くない問題がある。これに対して本実施形態のように本体部１６と支持片１７とを棚板４の前後幅寸法と略同じ寸法に設定すると、棚板４を後揃え状態に配置しても本体部１６が棚板４の手前にはみ出ることはないため体裁がよい。
【００３９】
また、本実施形態ではブラケット１５の本体部１６は棚板４の上方にはみ出た露出部１６ａを有しているが、この露出部１６ａが露出することでブラケット１５の存在をユーザーに一目で視認させ得るため、例えば棚板４の取り外しに際して戸惑うことがない。
【００４０】
(4).他の実施形態
上記の実施形態は本体部１６に露出部１６ａを設けた場合であったが、図５に変形例として示すように、本体部１６の上下幅寸法を棚板４の厚さと略同じに設定して露出部を無くすことも可能である。この場合は、デザイン的にスッキリすると共に、本体部１６の上にも書籍を配置し得るため僅かながら収納空間３の利用効率を向上できる。
【００４１】
図６に示す実施形態も変形例である。この実施形態に示すブラケット１５は図５に示すものと殆ど同じであり、相違点は、本体部１６の他端１６ｃを抉っている点のみである。他方、この実施形態では係合穴１９は真円に形成しており、かつ、図７（Ａ）に示すように、係合穴１９の内周縁には内向きに突出したバーリング部１９ａを形成している。このため、係合爪１８を安定良く支持できて支持強度が高い利点がある。
【００４２】
また、この実施形態では、芯板５は係合穴１９よりも奥側に配置しており、かつ、補強枠７はバーリング部１９ａの群に当てることで位置決めされている。補強枠７は図７（Ａ）に示すように前向きに開口した姿勢で配置することも可能であり、図７（Ｂ）に示すように奥側に向けて開口した姿勢で配置することも可能である（いずれにしてもバーリング部１９ａで位置決めされる。）。
【００４３】
さて、側板を化粧板で芯板がサンドイッチされた積層構造にすることは従来から行われており、また、前端部に補強枠を内蔵することも行われている。しかし、従来は側板の前面は閉じた状態になっており、開口してはいないのが通常である。
【００４４】
これに対して図７（Ａ）のように、コの字形の補強枠７を前向きに開口した姿勢で配置すると共に、側板２の前面に縦溝２５を開口させると、補強枠７の底面にＬＥＤ２６を装着して棚装置を間接照明具として機能させたり、補強枠７で囲われた空間をケーブル２７の配線空間として利用したりすることができる利点がある（ケーブル２７はスリット２５からも出し入れできる。）。化粧板６の前端部は単にＬ形に折り曲げるだけでもよいが、本実施形態のように奥側に向いて突出したリップ６ａを形成すると、人が手を触れても安全性が高い利点や、強度が高い利点がある。
【００４５】
また、化粧板６の前端部の折り曲げ態様としては、実施形態のようにＬ形に折り曲げることに代えて、くの字形に折り返したり２枚重ね状にハゼ折りしたりすることも可能である。このように折り返し構造を採用すると縦溝２７の溝幅を大きくできるため、ＬＥＤ２６の照射角度が広がって照明効果が高くなると共に、奥行き感が視認されるためデザイン面でも優れている。なお、縦溝２５に透明又は半透明の板を配置し、板に各種の書籍情報を表示してこれをＬＥＤで後ろから照らすことも可能である。すなわち、ＬＥＤを表示手段に使用することも可能であり、このようにすると視認性が優れる利点がある。
【００４６】
図７（Ｂ）のように補強枠７を奥側に向けて開口した姿勢に配置すると、補強枠７の背板７ａが側板２の前面に近いため、塗装を行いやすい利点がある。図７（Ｂ）においても補強枠７で囲われた空間を配線空間に利用することができる。
【００４７】
図７（Ｃ）に示すように、側板２の上部も内外化粧板６で挟まれた水平状の上補強枠２８を配置しており、上補強枠２８の上方にも配線可能な空間が空いている。化粧板６の上端は内側に折り曲げられている。図では内外の化粧板６の上面板６ｂに下向きリップ６ｃを曲げ形成して互いに密着させているが、化粧板６の上面板６ｂを切り開いて上向きに開口した部分も存在しており、この上向きに開口した部分からケーブル類を挿通できる。なお、側板２の下部にも前後長手の下補強枠を配置し、配線可能な空間が全長にわたって延びるように形成されている。
【００４８】
(5).その他
本願発明は、上記の実施形態の他にも様々に具体化できる。棚本体を構成するサイドサポートは側板方式でなくフレーム方式とすることも可能である。側板方式とする場合、スチール板で構成してその内面に断面ハット形等の前後の補強部材を固着し、この補強部材に係合穴の群を形成することも可能である。棚板４は木製や樹脂製であってもよい。
【００４９】
ブラケットをサイドサポートに着脱自在に保持する係合手段（係合部）としては、側板等のサイドサポートに係合爪を形成してブラケットに係合穴を形成するなど、様々な構造・組み合わせを採用できる。係合穴と係合爪との組み合わせのような係合部を前後３つ以上の位置に設けることも可能である。
【００５０】
棚板とブラケットとの前後位置を規制する位置決め手段としては、実施形態のようなフロント折り返し部１１と位置決め片１７ａとの組み合わせには限らないのであり、例えば、支持片１７に棚板４を前後から囲うストッパー片を設けるなど、様々の手段を採用できる。また、本願発明は書架には限らず各種の棚装置に適用できる。
【産業上の利用可能性】
【００５１】
本願発明は書架等の棚装置に具体化できる。従って産業上利用できる。
【符号の説明】
【００５２】
１  背板
２  側板
３  収納空間
４  Ｂ５版用の棚板
１１  フロント折り返し部
１１ａ  起立片
１２  サイド折り返し部
１２ａ  起立片
１５  ブラケット
１６  本体部
１７  支持片
１８  係合爪
１９  係合穴
【図１】
0005567981.tif 000002
【図２】
0005567981.tif 000003
【図３】
0005567981.tif 000004
【図４】
0005567981.tif 000005
【図５】
0005567981.tif 000006
【図６】
0005567981.tif 000007
【図７】
0005567981.tif 000008